(57)【要約】【課題】電線の径よりも狭い間隔で対向する１対の圧接刃を有する圧接端子に電線を圧接する圧接装置に関し、部品点数を抑え、簡単な構造で、１対の圧接刃の間隔が拡開することを防止する。【解決手段】スタッファ１２は、電線を押圧する電線押圧部１２１と、電線押圧部１２１の両側からアンビル１１側に突出し、電線押圧部１２１に対して不動である、１対の圧接刃９１の間隔が拡開することを防止する１対の端子ガイド１２とを一体的に有する。【選択図】        図２
2004164968.tif 000002
【特許請求の範囲】
【請求項１】
電線の径よりも狭い間隔で対向する１対の圧接刃からなる圧接部を有する圧接端子を支持するアンビルと、該アンビルに対して接離し、前記電線を押圧して前記１対の圧接刃の間に前記電線を挿入するスタッファとを具備する圧接装置において、
前記スタッファは、前記電線を押圧する電線押圧部と、該電線押圧部の両側から前記アンビル側に突出し、前記電線押圧部に対して不動である、前記１対の圧接刃の間隔が拡開することを防止する１対の端子ガイドとを一体的に有することを特徴とする圧接装置。
【請求項２】
前記アンビルに支持された圧接端子の前記圧接部に対応する位置に、一方の前記端子ガイドの外面から前記電線押圧部を通って他方の前記端子ガイドの外面に貫通する溝を有し、
前記スタッファは、前記１対の端子ガイドの外面側に配置された基部と、該基部から前記溝を通って前記電線押圧部の前記溝内に突出し相対的に細い電線をガイドするガイドとを有する１対の電線ガイドをさらに有することを特徴とする請求項１記載の圧接装置。
【発明の詳細な説明】
【０００１】
【発明の属する技術分野】
本発明は、電線の径よりも狭い間隔で対向する１対の圧接刃を有する圧接端子に電線を圧接する圧接装置に関する。
【０００２】
【従来の技術】
従来より、コンタクトと電線の結線方式について様々な方式が知られている。これら様々な結線方式の中には、圧接によって結線を行う方式がある。この圧接による方式は、芯線の周囲が被覆部材によって被覆された電線を結線する際に用いられ、この方式に対応した端子には、電線の径よりも狭い間隔で対向する１対の圧接刃を有する圧接端子がある。このような１対の圧接刃を有する圧接端子に電線を結線するには、圧接端子を支持するアンビルと、アンビルに対して進退自在なスタッファとを備えた圧接装置が用いられることがある。
【０００３】
特許文献１から特許文献３のいずれの特許文献にも、スタッファの両側にそのスタッファとは別個に設けられ、アンビル側に突出する１対の端子ガイドを備えた圧接装置が記載されている。この１対の端子ガイドとスタッファは、両者の相対的な位置を変えることができるように取り付けられている。これらの特許文献に記載された圧接装置では、スタッファを前進させることで、スタッファによって電線を押圧し、圧接端子に設けられた１対の圧接刃の間に電線を挿入する。この際、１対の端子ガイドとスタッファとの相対的な位置が変わり、１対の端子ガイドは、１対の圧接刃を挟み込み１対の圧接刃の間隔が拡開することを防止する。このため、圧接部は、電線の被覆部材に食い込み、芯線と電気的に接続する。
【０００４】
【特許文献１】
特開平１０−３２６６３３号公報  （第３−４図）
【特許文献２】
特許第３３３１１８５号公報  （第３−４図）
【特許文献３】
特許第２９８１３５０号公報  （第４−５図）
【０００５】
【発明が解決しようとする課題】
しかしながら、上記の各特許文献に記載された圧接装置は、１対の端子ガイドが、スタッファとは別個に設けられているため、部品点数が多くなるという欠点を有する。しかも、１対の端子ガイドとスタッファは、両者の相対的な位置を変えることができるように取り付けられているため、構造的に複雑になり、組み立てが大変になる。
【０００６】
本発明は、上記事情に鑑み、部品点数を抑え、簡単な構造で、１対の圧接刃の間隔が拡開することを防止することができる圧接装置を提供することを目的とする。
【０００７】
また、本発明は、比較的細い電線を確実に圧接することができる圧接装置を提供することを別の目的とする。
【０００８】
【課題を解決するための手段】
上記目的を達成する本発明の圧接装置は、電線の径よりも狭い間隔で対向する１対の圧接刃からなる圧接部を有する圧接端子を支持するアンビルと、そのアンビルに対して接離し、上記電線を押圧して上記１対の圧接刃の間に上記電線を挿入するスタッファとを具備する圧接装置において、
上記スタッファは、上記電線を押圧する電線押圧部と、その電線押圧部の両側から上記アンビル側に突出し、上記電線押圧部に対して不動である、上記１対の圧接刃の間隔が拡開することを防止する１対の端子ガイドとを一体的に有することを特徴とする。
【０００９】
本発明の圧接装置によれば、上記１対の圧接刃の間隔が拡開することを防止する上記１対の端子ガイドを備えており、上記スタッファが、その１対の端子ガイドを一体的に有するものであるため、部品点数が抑えられている。しかも、その１対の端子ガイドは上記電線押圧部に対して不動なものであるため、その１対の端子ガイドと上記電線押圧部との相対的な位置関係は常に同じであり、簡単な構造で済む。
【００１０】
また、本発明の圧接装置において、上記アンビルに支持された圧接端子の上記圧接部に対応する位置に、一方の上記端子ガイドの外面から上記電線押圧部を通って他方の上記端子ガイドの外面に貫通する溝を有し、
上記スタッファは、上記１対の端子ガイドの外面側に配置された基部と、その基部から上記溝を通って上記電線押圧部の上記溝内に突出し相対的に細い電線をガイドするガイドとを有する１対の電線ガイドをさらに有することが好ましい。
【００１１】
この好ましい態様によれば、細い電線を圧接端子に圧接する場合であっても、１対の電線ガイドによって、その細い電線を、上記スタッファの電線を押圧する部分の中央に位置決めすることができる。
【００１２】
【発明の実施の形態】
以下、本発明の実施形態について説明する。
【００１３】
本発明の一実施形態である圧接装置は、芯線の周囲が被覆部材によって被覆された電線を、２つの圧接部を有する圧接端子に結線する際に用いられるものである。本実施形態の圧接装置によって電線が結線された圧接端子は、最終的にはハウジングに保持される。すなわち、本実施形態の圧接装置は、電線を、ハウジングに保持される前の圧接端子に結線する際に用いられるものである。このような本実施形態の圧接装置は、アンビル、スタッファ、１対の電線ガイド、および電線カッタを有する。
【００１４】
図１は、本実施形態の圧接装置のうちの、アンビル、スタッファ、および電線カッタを示す図であり、図２は、図１のＡ―Ａ’断面図である。
【００１５】
この図１には、本実施形態の圧接装置１の一部分が示される他、電線８と圧接端子９も示されている。図１に示す電線８は、図２に示すように断面形状が円形のものである。また、図１に示す圧接端子９は、中央に２つの圧接部９０を有するとともに、後端にバレル部９２を有するものである。これら２つの圧接部９０はいずれも、図２に示すように、電線８の径よりも狭い間隔で対向する１対の圧接刃９１を有する。また、バレル部９２は、電線８を圧接端子９に圧着するためのものである。
【００１６】
図１に示すアンビル１１は、圧接端子９を支持するものである。また、図１に示すスタファ１２は、そのアンビル１１の上方に、アンビル１１に対して進退自在に配備されたものである。図１には、スタッファ１２が後退し、アンビル１１とスタッファ１２とが離間した状態が示されている。本実施形態の圧接装置１では、まず、この状態でアンビル１１に圧接端子９を支持させる。
【００１７】
図１に示す電線カッタ１４は、アンビル１１に支持された圧接端子９の先端側に配備されている。この電線カッタ１４には、Ｖ字状の溝１４１と電線ストッパ１４２が設けられている。電線８は、作業者によって、Ｖ字状の溝１４１に挿入され、電線８の先端８ａが電線ストッパ１４２に当接するまでさらに挿入される。図１には、電線８が、電線カッタ１４に挿入された状態が示されており、電線カッタ１４に挿入された電線８の真下には、アンビル１１に支持された圧接端子９が位置する。
【００１８】
図１に示すスタッファ１２は、図２に実線で示す後退した位置から２点鎖線で示す位置まで前進することができるものである。このスタッファ１２は電線押圧部１２１を有する。電線押圧部１２１は、図２に示すように、アンビル１１に向けて僅かに突出したものであって、その先端面１２１ａは、電線８の周面形状に略合致するように円弧状に窪んでいる。また、スタッファ１２は、電線押圧部１２１と一体的に設けられた１対の端子ガイド１２２を有する。すなわち、スタッファ１２は、１対の端子ガイド１２２を一体的に有するものである。したがって、本実施形態の圧接装置では、部品点数が抑えられている。この１対の端子ガイド１２２は、図２に示すように、電線押圧部１２１の両側からアンビル１１に向けて、電線押圧部１２１の先端面１２１ａを超えて突出したものであって、１対の端子ガイド１２２と電線押圧部１２１の相対的な位置関係は常に同じである。そのため、スタッファ１２の構造は簡単な構造であり、本実施形態の圧接装置は、組み立てが容易である。１対の端子ガイド１２２の、根元部分から中間部分にかけての間隔は、圧接端子９の、圧接部９０が設けられた部分の幅に応じた間隔であり、中間部分から先端にかけての間隔は、先端に向かうほど漸次拡がっている。このような端子ガイド１２２には、他方の端子ガイド１２２に対向する内面１２２ａから内面１２２ａとは反対の外面１２２ｂに貫通する溝１２２１が、アンビル１１に支持された圧接端子９の２つの圧接部９０それぞれに対応する位置に設けられている。すなわち、１つの端子ガイド１２２には２本の溝１２２１が設けられている。これらの溝１２２１は、端子ガイド１２２の先端からスタッファ１２の進退方向に沿って、電線押圧部１２１の先端面１２１ａを超えて延在するものである。これらの溝１２２１には、図１では不図示の電線ガイドの一部が挿入される。電線押圧部１２１は、この不図示の電線ガイドとの干渉を防止するため、図１に示すように、溝１２２１に対応する部分が切り欠かれ、溝１２１１が形成されている。１対の端子ガイド１２２における溝１２２１と電線押圧部１２１における溝１２１１とを合わせたものが、本発明にいう溝に相当する。
【００１９】
電線押圧部１２１における溝１２１１は、圧接作業時に電線押圧部１２１が圧接端子９の圧接部９０との干渉を避けるために従来から設けられていたものである。本発明においては、この溝１２１１と端子ガイド１２２における溝１２２１とを連通させることにより、電線ガイド１３の案内部１３２を受容する空間を単一の工程で形成することができる。
【００２０】
図３は、図１に示すスタッファに１対の電線ガイドを取り付ける様子を示した図である。
【００２１】
図３には、１対の電線ガイド１３が示されている。この１対の電線ガイド１３は、基部１３１と本発明のガイドに相当する案内部１３２を有する。基部１３１は、端子ガイド１２２の外面１２２ｂに沿って延びるものである。案内部１３２は、基部１３１の両側から突出したものであって、この案内部１３２が、端子ガイド１２２の溝１２２１に挿入される（図３中の矢印参照）。案内部１３２の突出先端面１３２ａには、スタッファ１２の進退方向に沿った垂直部１３２１、基部１３１の下方に向かって傾斜するテーパ部１３２２、案内部１３２の突出方向に彎曲したＲ部１３２３が、この記載順に上方から設けられている。
【００２２】
図４は、図１に示すスタッファの両側に電線ガイドが取り付けられた状態を示す図である。
【００２３】
図４に示すように、電線ガイド１３がスタッファ１２に取り付けられると、電線ガイド１３の突出先端面１３２ａに設けられた各部位の位置関係は、スタッファ１２の電線押圧部１２１側から、垂直部１３２１、テーパ部１３２２、Ｒ部１３２３といった順の位置関係になる。
【００２４】
１対の電線ガイド１３の基部１３１の上部は、スタッファ１２に、回動可能に取り付けられている。すなわち、スタッファ１２には、各電線ガイド１３を回動可能に軸支する軸部１２３が設けられており、各電線ガイド１３は、この軸部１２３を回動中心にして回動可能である（図４中の矢印参照）。１対の電線ガイド１３がそれぞれ回動することで、電線ガイド１３の突出先端面１３２ａは互いに接離する。１対の電線ガイド１３それぞれは、回動中心よりも上方にばね部材１３３を有し、このばね部材１３３によって、突出先端面１３２ａどうしが接近する方向に付勢されている。図４には、１対の電線ガイド１３それぞれの突出先端面１３２ａどうしが接近した状態が示されている。この状態では、１対の電線ガイド１３の垂直部１３２１の間隔は、電線押圧部１２１の幅よりは狭く、かつ図２に示す圧接端子９に設けられた各圧接部９０の、１対の圧接刃９１の間隔よりは広い。本実施形態の圧接装置によれば、１対の電線ガイド１３の垂直部１３２１の間隔よりも広い大径の電線（図２参照）からその間隔よりも狭い小径の電線まで、圧接端子に結線することができる。大径の電線が電線ガイド１３に挿入された状態で、スタッファ１２が、図１に示す圧接端子９を支持しているアンビル１１に向かって前進し始めると、大径の電線は、１対の電線ガイド１３の、Ｒ部１３２３間を通って、テーパ部１３２２間で圧接端子の延在方向に延びる中心軸上にセンタリングされる。この際、１対の端子ガイド１２２は、圧接端子９に設けられた２つの圧接部９０それぞれを挟み込む。スタッファ１２がさらに前進すると、大径の電線によって、電線ガイド１３の垂直部１３２１が押され、１対の電線ガイド１３は、それぞれの突出先端面１３２ａどうしが離間するように回動し、スタッファ１２の電線押圧部１２１が電線に当接する。スタッファ１２は、図２に２点鎖線で示す前進位置まで引き続き前進する。電線押圧部１２１が当接した電線は、引き続き前進するスタッファ１２の電線押圧部１２１によって押され、アンビル１１に支持された圧接端子９に設けられた各圧接部９０の、１対の圧接刃９１間に挿入される。この際、圧接端子９に設けられた、いずれの圧接部９０も、１対の端子ガイド１２２によって挟み込まれており、１対の圧接刃９１の間隔が拡開することが防止されている。圧接端子９の各圧接部９０は、電線の被覆部材に食い込み、電線の芯線と電気的に接続し、圧接端子９に電線が結線される。スタッファ１２は、図２に２点鎖線で示す前進位置まで前進した後は、所定の後退位置まで後退する。
【００２５】
また、１対の電線ガイド１３の垂直部１３２１の間隔よりも狭い小径の電線が電線ガイド１３に挿入された状態で、スタッファ１２が、図１に示す圧接端子９を支持しているアンビル１１に向かって前進し始めると、小径の電線は、１対の電線ガイド１３のＲ部１３２３間を通って、テーパ部１３２２によって案内されながら、１対の電線ガイド１３の垂直部１３２１間に入り込む。ここで、電線の先端部分が図１に示す電線カッタ１４に挿入されていても、電線の径が細くなればなるほど電線の剛性は弱くなるため、電線の、圧接端子９の圧接部９０の上方に位置する部分は、圧接端子９の延在方向に延びる中心軸からずれ、スタッファ１２の前進によって圧接刃９１の平坦な上端面に乗り上げてしまうことがある。こうなると、電線は、電線押圧部１２１によって、１対の圧接刃９１の間に挿入されず、電線を圧接端子９に結線することができなくなってしまう。しかしながら、本実施形態の圧接装置では、電線を、１対の電線ガイド１３の垂直部１３２１間に入り込ませることで、圧接端子９の延在方向に延びる中心軸にセンタリングすることができる。スタッファ１２がさらに前進すると、１対の電線ガイド１３は、アンビル１１に支持された圧接端子９の圧接部９０によってテーバ部１３２２が押され、それぞれの突出先端面１３２ａどうしが離間するように回動し、小径の電線であっても、スタッファ１２の電線押圧部１２１に当接する。この際にも、圧接端子９に設けられた圧接部９０は、１対の端子ガイド１２２によって挟み込まれる。以降は、上述した大径の電線の結線と同じように、小径の電線も電線押圧部１２１によって押され、アンビル１１に支持された圧接端子９に設けられた各圧接部９０の、１対の圧接刃９１間に挿入される。
【００２６】
なお、ここでの説明では、スタッファ１２が進退するものであったが、本発明は、これに限らず、アンビル１１とスタッファ１２とが相対的に進退することで、スタッファ１２がアンビル１１に対して接離自在なものであればよい。
【００２７】
【発明の効果】
以上、説明したように、本発明の圧接装置によれば、部品点数を抑え、簡単な構造で、１対の圧接刃の間隔が拡開することを防止することができる。
【図面の簡単な説明】
【図１】本実施形態の圧接装置のうちの、アンビル、スタッファ、および電線カッタを示す図である。
【図２】図１のＡ―Ａ’断面図である。
【図３】図１に示すスタッファに１対の電線ガイドを取り付ける様子を示した図である。
【図４】図１に示すスタッファの両側に電線ガイドが取り付けられた状態を示す図である。
【符号の説明】
１    圧接装置
８    電線
９    圧接端子
９０    圧接部
９１    圧接刃
１１    アンビル
１２    スタファ
１４    電線カッタ
１４１    溝
１４２    電線ストッパ
１２１    電線押圧部
１２１１    溝
１２２    端子ガイド
１２２ａ    内面
１２２ｂ    外面
１２２１    溝
１３    電線ガイド
１３１    基部
１３２    案内部
【図１】
2004164968.tif 000003
【図２】
2004164968.tif 000004
【図３】
2004164968.tif 000005
【図４】
2004164968.tif 000006